(57)【要約】【課題】搬送部材又は印字手段の位置ずれがあっても両者間の当接圧を均一にでき、画像抜けや印字濃度ムラを高精度に抑制できるようにする。【解決手段】サーマルヘッド３９を支持するブラケット４７は、揺動支点としての回動軸６０により揺動可能に設けられている。回動軸６０の両端部は図示しない装置本体の側板６３に軸受６２を介して回転自在に且つプラテンローラに対してサーマルヘッド３９が接離する方向に変位可能に支持され、バネ６１によりプラテンローラ側へ付勢されている。プラテンローラの回転軸心が変位しても、回動軸６０がこれに追随して変位し、サーマルヘッド３９の発熱面はプラテンローラの表面に長手方向全体に亘って均一に当接する。【選択図】      図５
2004249551.tif 000002
【特許請求の範囲】
【請求項１】
シート状記録媒体を回転して搬送する搬送部材と、該搬送部材との間で上記シート状記録媒体を挟持し画像情報に基づいて該シート状記録媒体に印字する印字手段を有し、上記搬送部材と上記印字手段の一方が上記搬送部材の回転軸方向に延びる揺動支点を有して他方に対して接離可能な構成を有する印字装置において、
上記揺動支点が、上記搬送部材と上記印字手段のうち該揺動支点を有しない方の上記回転軸方向の変位に追随できるように設けられていることを特徴とする印字装置。
【請求項２】
請求項１記載の印字装置において、
上記揺動支点の両端部が、上記搬送部材と上記印字手段のうち該揺動支点を有する方の相手方に対する当接方向に付勢手段により付勢され、該付勢手段の付勢力は上記搬送部材と上記印字手段の当接圧以下に設定されていることを特徴とする印字装置。
【請求項３】
請求項１記載の印字装置において、
上記搬送部材と上記印字手段のうち上記揺動支点を有する方が相手方に向けて第１の付勢手段により付勢され、上記揺動支点の両端部が、上記搬送部材と上記印字手段のうち該揺動支点を有する方の相手方に対する当接方向に第２の付勢手段により付勢され、該第２の付勢手段の付勢力は第１の付勢手段の付勢力以下に設定されていることを特徴とする印字装置。
【請求項４】
請求項１又は２記載の印字装置において、
上記揺動支点が上記回転軸方向に延びる１本の軸であり、該軸の両端部が装置本体の側板間に回転自在に且つ上記当接方向に変位可能に支持されていることを特徴とする印字装置。
【請求項５】
請求項１又は２記載の印字装置において、
上記揺動支点が上記回転軸方向に延びる１本の軸であり、該軸の両端部が装置本体の側板間に軸受を介して回転自在に且つ上記当接方向に変位可能に支持されていることを特徴とする印字装置。
【請求項６】
請求項１乃至５のうちの何れか１つに記載の印字装置において、
上記印字手段がサーマルヘッドを有し、上記シート状記録媒体が感熱記録媒体であることを特徴とする印字装置。
【請求項７】
請求項１乃至５のうちの何れか１つに記載の印字装置において、
上記印字手段がサーマルヘッドを有し、上記シート状記録媒体が可逆性感熱記録媒体であることを特徴とする印字装置。
【請求項８】
印字装置を有する画像形成装置において、
上記印字装置が、請求項１乃至７のうちの何れか１つに記載の印字装置であることを特徴とする画像形成装置。
【発明の詳細な説明】
【０００１】
【発明の属する技術分野】
本発明は、例えば繰り返し印字（記録、画像形成の概念を含む）することができる可逆性感熱記録媒体等のシート状記録媒体を用いた印字装置、該印字装置を有する複写機、プリンタ、ファクシミリ、プロッタ等の画像形成装置に関する。
【０００２】
【従来の技術】
可逆性感熱記録媒体を用いた画像形成装置は、一般にリライタブルプリンタ（ＲＷＰ）と呼ばれ、熱可逆性（Ｔｈｅｒｍｏ−Ｃｈｒｏｍｉｃ）フィルム等の可逆性感熱記録媒体を用いたものが実用化されている。
熱可逆性フィルムは、記録層にロイコ染料と顕色剤を備えており、図１２に示すようなリライタブル特性を有している。消色状態（Ａ）から例えば１８０℃に加熱すると、ロイコ染料分子が溶融して発色し（Ｂ）、この状態で急冷すると発色したまま凝集して発色状態が固定される（Ｃ）。
発色状態で例えば１２０〜１６０℃に加熱すると、凝集状態が崩れて顕色剤が自己凝集力で結晶化し（Ｄ）、ロイコ染料を弾き出して（Ｅ）、消色状態（Ａ）に戻る。消色温度と発色温度はフィルムの構成材料によって異なる。
この熱可逆性フィルムの特性に対応して、画像形成装置では、加熱して印字を消去する消去装置と、加熱して印字を行う印字装置を有している。印字装置としては、プラテンローラにサーマルヘッドを押圧する構成が知られている。
【０００３】
印字装置を具体的に説明すると、図１３に示すように、サーマルヘッド１００はブラケット１０１に支持されており、ブラケット１０１はその下端部を揺動支点としての位置固定された軸１０２に支持されて矢印方向に揺動可能に設けられている。ブラケット１０１はバネ１０３によりプラテンローラ１０４側へ付勢されており、これによりサーマルヘッド１００がプラテンローラ１０４に所定の圧力で当接し、可逆性感熱記録媒体１０５の挟持搬送力が得られるようになっている。
図示しないモータにより回転するプラテンローラ１０４により可逆性感熱記録媒体１０５が搬送されながらサーマルヘッド１００により印字される。
可逆性感熱記録媒体１０５が搬送ジャムを起こした場合には、ブラケット１０１をプラテンローラ１０４から離れる方向に回動することにより、印字装置におけるジャム処理を容易に行うことができ、このような構成は揺動解除方式とも呼ばれている。
【０００４】
【特許文献１】
実開平５−７４６３号公報
【特許文献２】
特開平９−２７７６４７号公報
【０００５】
【発明が解決しようとする課題】
このような揺動解除方式では、上述のように搬送ジャムの処理を容易に行うことができる反面、図１４に示すように、位置固定された軸１０２の軸心（揺動支点）１０２ａによりサーマルヘッド１００のプラテンローラ１０４に対する位置が拘束（固定）されるため、例えばプラテンローラ１０４の回転軸心１０４ａが組み立て精度等の要因によりずれ、サーマルヘッド１００の発熱面１００ａに対する平行度がΔｇずれる場合がある。
このような場合、プラテンローラ１０４に対するサーマルヘッド１００の可逆性感熱記録媒体１０５の搬送方向と直交する幅方向、換言すればプラテンローラ１０４の軸方向における当接圧が不均一となり、図面上、サーマルヘッド１００の右側では印字濃度が高くなる。一方、左側では印字濃度が低くなり、画像抜け等が生じる。
実開平５−７４６３号公報には、サーマルヘッドを支持するブラケットをプラテンローラの軸方向に複数個設けてそれぞれを共通の１つの回動軸（揺動支点）で支持し、それぞれ個別にバネで付勢してサーマルヘッドのプラテンローラに対する当接圧の不均一を是正する構成が記載されている。
しかしながら各ブラケットは１つの回動軸（揺動支点）に拘束されているため、プラテンローラの軸心ずれに対するサーマルヘッドの全体的なずれ追随機能は十分に得ることができなかった。サーマルヘッドを支持するブラケットを複数個設ける構成の場合、構成の複雑化、組み立て工程の煩雑化をも来たすことになる。
【０００６】
本発明は、搬送部材又は印字手段の位置ずれがあっても両者間の当接圧を均一にでき、画像抜けや印字濃度ムラを高精度に抑制できる印字装置及びこれを備えた画像形成装置の提供を、その主な目的とする。
【０００７】
【課題を解決するための手段】
上記目的を達成するために、請求項１記載の発明では、シート状記録媒体を回転して搬送する搬送部材と、該搬送部材との間で上記シート状記録媒体を挟持し画像情報に基づいて該シート状記録媒体に印字する印字手段を有し、上記搬送部材と上記印字手段の一方が上記搬送部材の回転軸方向に延びる揺動支点を有して他方に対して接離可能な構成を有する印字装置において、上記揺動支点が、上記搬送部材と上記印字手段のうち該揺動支点を有しない方の上記回転軸方向の変位に追随できるように設けられている、という構成を採っている。
【０００８】
請求項２記載の発明では、請求項１記載の印字装置において、上記揺動支点の両端部が、上記搬送部材と上記印字手段のうち該揺動支点を有する方の相手方に対する当接方向に付勢手段により付勢され、該付勢手段の付勢力は上記搬送部材と上記印字手段の当接圧以下に設定されている、という構成を採っている。
【０００９】
請求項３記載の発明では、請求項１記載の印字装置において、上記搬送部材と上記印字手段のうち上記揺動支点を有する方が相手方に向けて第１の付勢手段により付勢され、上記揺動支点の両端部が、上記搬送部材と上記印字手段のうち該揺動支点を有する方の相手方に対する当接方向に第２の付勢手段により付勢され、該第２の付勢手段の付勢力は第１の付勢手段の付勢力以下に設定されている、という構成を採っている。
【００１０】
請求項４記載の発明では、請求項１又は２記載の印字装置において、上記揺動支点が上記回転軸方向に延びる１本の軸であり、該軸の両端部が装置本体の側板間に回転自在に且つ上記当接方向に変位可能に支持されている、という構成を採っている。
【００１１】
請求項５記載の発明では、請求項１又は２記載の印字装置において、上記揺動支点が上記回転軸方向に延びる１本の軸であり、該軸の両端部が装置本体の側板間に軸受を介して回転自在に且つ上記当接方向に変位可能に支持されている、という構成を採っている。
【００１２】
請求項６記載の発明では、請求項１乃至５のうちの何れか１つに記載の印字装置において、上記印字手段がサーマルヘッドを有し、上記シート状記録媒体が感熱記録媒体である、という構成を採っている。
【００１３】
請求項７記載の発明では、請求項１乃至５のうちの何れか１つに記載の印字装置において、上記印字手段がサーマルヘッドを有し、上記シート状記録媒体が可逆性感熱記録媒体である、という構成を採っている。
【００１４】
請求項８記載の発明では、印字装置を有する画像形成装置において、上記印字装置が、請求項１乃至７のうちの何れか１つに記載の印字装置である、という構成を採っている。
【００１５】
【発明の実施の形態】
以下、本発明の実施形態を図１乃至図９に基づいて説明する。
まず、図１に基づいて本実施形態における画像形成装置としてのリライタブルプリンタ２の全体構成の概要を説明する。リライタブルプリンタ２は、シート状記録媒体で且つ可逆性感熱記録媒体としてのリライタブルペーパー３を給紙する給紙手段４と、該給紙手段４の下部に設けられた印字消去手段５と、印字装置６と、印字消去手段５と印字装置６とを結ぶ冷却ゾーンとしての搬送ガイド部材７と、印字装置６を経たリライタブルペーパー３を搬送する排出部材としての冷却ローラ対８と、同じく排出部材としての排紙ローラ対９と、給紙手段４や印字消去手段５等を支持する装置本体１０と、該装置本体１０に開閉自在に設けられ、印字装置６及び排紙領域を開放する前カバー１１と、給紙手段４以外の要素の駆動源であるモータ１３等を有している。
【００１６】
給紙手段４は、図２に示すように、ピックアップローラ１４と、フィードローラ１５を有しており、これらのローラはモータ１６で駆動される。モータ１６の回転軸１６ａに固定されたギア１７にアイドラギア１８が噛み合っており、アイドラギア１８の回転軸１８ａに固定されたギア１９に、ピックアップローラ１４と同期回転するギア２０とフィードローラ１５と同期回転するギア２１が噛み合っている。符号２２はリライタブルペーパー３の搬送経路を示している。
印字消去手段５は、上部にリライタブルペーパー３の受け入れ口２３ａを有するとともに下部にリライタブルペーパー３の排出口２３ｂを有するハウジング２３を有している。ハウジング２３内には、加熱部材としてのヒータローラ２４と、該ヒータローラ２４に圧接する駆動ローラとしての加圧ローラ２５と、ヒータローラ２４の温度を検知する温度検知手段としてのサーミスタ２６が設けられている。ヒータローラ２４は内部に熱源としてのハロゲンヒータ２７を有している。
【００１７】
リライタブルペーパー３はヒータローラ２４と加圧ローラ２５により挟持搬送されながらヒータローラ２４によって消色温度に加熱され、印字内容を消去される。
図示しない制御手段のＲＯＭには、予め実験等（コンピュータシミュレーションを含む）により求められたリライタブルペーパー３の材質の種類と適正な消色温度との関係データテーブルが記憶されており、図示しない操作パネル等の入力手段によりリライタブルペーパー３の種類が入力され、又はリライタブルペーパー３の種類が自動検知されると、上記制御手段は入力された種類又は自動検知された種類に対応する消色温度を選択し、サーミスタ２６の検知情報に基づいてハロゲンヒータ２７への電力供給を制御する。
印字消去手段５の構成としては、ヒータローラ２４と加圧ローラ２５を圧接する方式に代えて、ヒータローラとローラ間に張架されたエンドレスベルトに加圧ローラを圧接するベルト方式としてもよい。
【００１８】
本実施形態では、給紙手段４以外の駆動が１つのモータ１３によってなされる構成となっている。これを図３に基づいて説明する。モータ１３の回転軸に固定されたプーリ２８によりベルト２９を介してプーリ３０が回転駆動される。プーリ３０と同期回転するギア３１が印字消去手段５の加圧ローラ２５と同期回転する図示しないギアに噛み合っており、これによって印字消去手段５の挟持搬送力が得られる。
ギア３１はアイドラギア３２に噛み合い、アイドラギア３２はアイドラギア３３に噛み合っている。アイドラギア３３はギア３４に噛み合っており、ギア３４はギア３５と同期回転する。ギア３５はアイドラギア３６に噛み合っており、アイドラギア３６は印字装置６を構成するプラテンローラ３７に接続された電磁クラッチ３８の図示しないギアに噛み合っている。
【００１９】
印字装置６は、プラテンローラ３７と、該プラテンローラ３７に圧接するサーマルヘッド３９を有している。
アイドラギア３３はギア３４と噛み合う一方でギア４０とも噛み合っている。ギア４０と同期回転するギア４１が設けられ、該ギア４１はギア４２と噛み合っている。ギア４２と同期回転するギア４３が設けられ、該ギア４３は冷却ローラ対８の駆動ローラ８ａと同期回転する図示しないギア及び排紙ローラ対９の駆動ローラ９ａと同期回転する図示しないギアと噛み合っている。
冷却ローラ対８は上記駆動ローラ８ａと従動ローラ８ｂを有しており、排紙ローラ対９は上記駆動ローラ９ａと従動ローラ９ｂを有している。冷却ローラ対８は、印字装置６の下流側で印字装置６によって付与されたリライタブルペーパー３の熱を奪う目的と搬送を兼ねて設けられたローラであり、熱伝導率の高い材料で形成することが望ましい。
冷却ローラ対８の従動ローラ８ｂと排紙ローラ対９の従動ローラ９ｂは前カバー１１に一体に設けられている（後述）。
【００２０】
印字消去手段５により印字内容を消去され、又は未印字のリライタブルペーパー３はプラテンローラ３７で搬送されながらサーマルヘッド３９により印字される。画像情報に基づいて駆動されるサーマルヘッド３９の加熱温度は適正な発色温度に設定される。
上記制御手段のＲＯＭには、予め実験等（コンピュータシミュレーションを含む）により求められたリライタブルペーパー３の材質の種類と適正な発色温度との関係データテーブルが記憶されており、上記制御手段は入力された又は自動検知されたリライタブルペーパー３の種類に対応する発色温度を選択し、サーマルヘッド３９への電力供給を制御する。
【００２１】
図４に示すように、給紙手段４の給紙方向下流側近傍には、リライタブルペーパー３の通過を検知する用紙検知手段としての給紙出口センサ４４が設けられており、印字装置６の給紙方向上流側近傍には、リライタブルペーパー３の通過を検知する用紙検知手段としてのサーマルヘッド入口センサ４５が設けられている。
給紙出口センサ４４とサーマルヘッド入口センサ４５は、搬送経路に突出する検知フィラーを備えた機械式の検知構成を有している。機械方式に代えてフォトセンサを用いてもよい。
本実施形態では、プラテンローラ３７の非通紙時の回転によるサーマルヘッド３９の発熱素子面の劣化を防止するために、通紙時のみプラテンローラ３７を回転させるようにしている。すなわち、上記制御手段はサーマルヘッド入口センサ４５によるリライタブルペーパー３の検知情報に基づいて電磁クラッチ３８をオン・オフ制御する。駆動源の一元化により、構成のコンパクト化及び低コスト化を実現できる。
【００２２】
印字消去手段５と印字装置６を結ぶ搬送ガイド部材７は略Ｕ字状に形成されており、ここを通過する間にリライタブルペーパー３は印字消去手段５によって加えられた熱を空冷される。搬送ガイド部材７の形状、長さ（搬送距離）、材質等は冷却実験の結果に基づいて適宜決定されるものである。この搬送ガイド部材７による冷却は、装置内の昇温抑制に寄与する。
【００２３】
次に印字装置６の構成を詳細に説明する。
印字装置６は、図８に示すように、リライタブルペーパー３を回転して搬送するプラテンローラ３７と、該プラテンローラ３７との間でリライタブルペーパー３を挟持し、画像情報に基づいて該リライタブルペーパー３に印字する印字手段１２を有している。
印字手段１２は、サーマルヘッド３９と、該サーマルヘッド３９を支持するヘッド支持部材としてのブラケット４７と、該ブラケット４７をサーマルヘッド３９がプラテンローラ３７に対して接離する方向に揺動（回動）させる揺動支点としての回動軸６０と、ブラケット４７をサーマルヘッド３９がプラテンローラ３７に当接するように付勢する第１の付勢手段としてのバネ５４と、回動軸６０をプラテンローラ３７側へ付勢する第２の付勢手段としてのバネ６１等を有している。バネ６１の付勢力（バネ圧）はバネ５４の付勢力以下に設定されている。
【００２４】
ブラケット４７は、プラテンローラ３７の回転軸方向に延びる長さを有しているとともに、サーマルヘッド３９の加熱による周囲の温度上昇を低減すべく放熱効率を高める形状を有している。すなわち、ブラケット４７の前カバー１１側の面には、放熱フィン４７ａ、４７ｂが略水平に突出した状態に一体に形成されている。放熱機能を高める観点から、ブラケット４７は熱伝導率の高い材料で形成するのが望ましい。
【００２５】
図５に示すように、ブラケット４７の下端部の長さの短い放熱フィン４７ｂ間に回動軸６０が挿入され、ブラケット４７は該回動軸６０に対し、その長手方向の３箇所においてネジ等の手段により固定されている。
回動軸６０の両端部は、軸受６２を介して装置本体１０の側板６３に回転自在に支持されている。軸受６２は大径部６２と、該大径部６２ａから軸方向外側に突出した小径部６２ｂを有している。
図５及び図６に示すように、小径部６２ｂは側板６３に形成された、サーマルヘッド３９の接離方向に延びる長穴６３ａに嵌め込まれて移動可能に支持されている（図１等では省略）。
大径部６２ａの前カバー１１側には、バネ受け部６２ａ―１がくり抜き状態に形成されており、バネ６１の一端が係止されている。バネ６１の他端は図８に示す固定フレーム４９に係止されている。回動軸６０の他端部においても同様の構成となっている。
上記構成により、サーマルヘッド３９の揺動支点としての回動軸６０は、プラテンローラ３７の回転軸の変位に追随できるように変位可能に設けられている。
【００２６】
図７に示すように、サーマルヘッド３９をプラテンローラ３７へ押圧するバネ５４は、ブラケット４７の長手方向（プラテンローラ３７の軸方向）における中央部と両端側の３箇所に設けられている。
図７（ａ）に示すように、プラテンローラ３７の回転軸心３７ａがサーマルヘッド３９の発熱面３９ａに対してその平行度がΔｇずれたとしても、図７（ｂ）に示すように、プラテンローラ３７の回転軸心３７ａの変位に追随して回動軸６０が変位するため、サーマルヘッド３９の発熱面３９ａはプラテンローラ３７の表面に長手方向全体に亘って均一に当接する。図７（ｂ）において、符号６０ａはプラテンローラ３７に対する当接前の回動軸６０の軸心位置を、符号６０ｂは当接後の回動軸６０の軸心位置をそれぞれ示している。なお、図７ではブラケット４７の放熱フィン等は省略している。
【００２７】
本実施形態では、前カバー１１を開放したときに自動的にプラテンローラ３７とサーマルヘッド３９が離間するように構成されている。その構成を図８に基づいて以下に説明する。
サーマルヘッド３９及びブラケット４７は、外力が作用しないときは回動軸６０を支点として自重でプラテンローラ３７から離れる方向に傾倒するように形成されている。
ブラケット４７と前カバー１１の間には、装置本体１０に固定された固定フレーム４９が設けられており、該固定フレーム４９には、プラテンローラ３７に対するサーマルヘッド３９の接離方向に所定間隔移動可能に設けられた圧解除ブラケット５０が支持されている。前カバー１１には圧解除ブラケット５０をプラテンローラ３７側へ押圧する板バネ５２が設けられている。
【００２８】
圧解除ブラケット５０には、ネジ回し操作面が前カバー１１側に露出した調整ネジ５３が螺合されており、その頭部にはバネ５４の他端が固定されている。前カバー１１が閉じられると、板バネ５２が圧解除ブラケット５０を押圧し、これに伴ってバネ５４がブラケット４７を押圧する。これによってプラテンローラ３７に対するサーマルヘッド３９の圧接状態が得られる。調整ネジ５３を回すことによりプラテンローラ３７に対するサーマルヘッド３９の圧接力を調整することができる。
固定フレーム４９には段付ネジ５５が螺合されており、圧解除ブラケット５０は段付ネジ５５の非ネジ部５５ａに穴５０ａを介して係合され、鍔５５ｂによって抜け止めされている。前カバー１１を閉じたときの非ネジ部５５ａにおける余裕寸法ｔが、圧解除ブラケット５０の移動可能な間隔である。
【００２９】
前カバー１１には、冷却ローラ対８の従動ローラ８ｂと、排紙ローラ対９の従動ローラ９ｂが回転自在に支持されている。前カバー１１の下端部両側には、開閉時の支点となる軸１１ｂが形成されており、この軸１１ｂは装置本体１０への装着時、装置本体１０の図示しない軸穴へ係合される。
ジャムが生じた場合には、図９に示すように、前カバー１１が開放される。前カバー１１が開放されると、板バネ５２による圧解除ブラケット５０への押圧力が解除され、ブラケット４７は圧解除ブラケット５０を前カバー１１側へ押しながら自重で傾倒する。
これにより、サーマルヘッド３９はプラテンローラ３７から上述した余裕寸法ｔに対応した分離間する。冷却ローラ対８及び排紙ローラ対９も分離するので、印字装置６及び排紙領域でジャムしたリライタブルペーパー３を容易に除去することができる。
【００３０】
上記実施形態では、サーマルヘッド３９側を回動軸６０で揺動可能に支持し、且つ、該回動軸６０を変位可能に設ける構成としたが、プラテンローラ３７側を揺動可能に支持する構成としてもよい。
軸受６２を設けずに回動軸６０を直接バネ６１で付勢して変位させる構成としてもよい。また、小径部６２ｂを有しない軸受６２を側板６３で移動可能に支持し、バネ６１の他端を該側板６３に係止する構成としてもよい。
また、上記実施形態ではバネ５４によりサーマルヘッド３９をプラテンローラ３７に押圧する構成としたが、印字手段１２の自重により圧接する構成としてもよい。この場合、バネ６１の付勢力はプラテンローラ３７に対するサーマルヘッド３９の当接圧以下に設定する。
【００３１】
また、図１０及び図１１に示すように、サーマルヘッドユニットを前カバー１１に内蔵する構成としてもよい。本実施形態では圧解除ブラケット５０は無く、バネ５４は前カバー１１に一体に形成されたボス５１に支持されている。図１１において、符号１１ｃは前カバー１１の側板を、１１ｄは側板１１ｃに形成された軸受６２の移動用の長穴を、１１ｅは側板１１ｃに一体に形成されたバネ６１に対するバネ受け部をそれぞれ示している。
また、上記実施形態では、シート状記録媒体として可逆性感熱記録媒体を用いた例を示したが、感熱記録媒体を用いる印字装置においても同様の機能を得ることができる。
【００３２】
【発明の効果】
請求項１又は８記載の発明によれば、シート状記録媒体を回転して搬送する搬送部材と、該搬送部材との間で上記シート状記録媒体を挟持し画像情報に基づいて該シート状記録媒体に印字する印字手段を有し、上記搬送部材と上記印字手段の一方が上記搬送部材の回転軸方向に延びる揺動支点を有して他方に対して接離可能な構成を有する印字装置において、上記揺動支点が、上記搬送部材と上記印字手段のうち該揺動支点を有しない方の上記回転軸方向の変位に追随できるように設けられている構成としたので、搬送部材と印字手段間における均一な当接圧を得ることができ、画像抜けや濃度ムラの無い良好な画像を得ることができる。
【００３３】
請求項２又は８記載の発明によれば、請求項１記載の印字装置において、上記揺動支点の両端部が、上記搬送部材と上記印字手段のうち該揺動支点を有する方の相手方に対する当接方向に付勢手段により付勢され、該付勢手段の付勢力は上記搬送部材と上記印字手段の当接圧以下に設定されている構成としたので、変位に対する揺動支点の確実な追随機能を得ることができる。
【００３４】
請求項３又は８記載の発明によれば、請求項１記載の印字装置において、上記搬送部材と上記印字手段のうち上記揺動支点を有する方が相手方に向けて第１の付勢手段により付勢され、上記揺動支点の両端部が、上記搬送部材と上記印字手段のうち該揺動支点を有する方の相手方に対する当接方向に第２の付勢手段により付勢され、該第２の付勢手段の付勢力は第１の付勢手段の付勢力以下に設定されている構成としたので、変位に対する揺動支点の確実な追随機能を得ることができる。
【００３５】
請求項４又は８記載の発明によれば、請求項１又は２記載の印字装置において、上記揺動支点が上記回転軸方向に延びる１本の軸であり、該軸の両端部が装置本体の側板間に回転自在に且つ上記当接方向に変位可能に支持されている構成としたので、軸の剛性により変位に対する揺動支点の高精度な追随機能を得ることができる。
【００３６】
請求項５又は８記載の発明によれば、請求項１又は２記載の印字装置において、上記揺動支点が上記回転軸方向に延びる１本の軸であり、該軸の両端部が装置本体の側板間に軸受を介して回転自在に且つ上記当接方向に変位可能に支持されている構成としたので、搬送部材又は印字手段の滑らかな揺動動作が得られるとともに、軸の剛性により変位に対する揺動支点の高精度な追随機能を得ることができる。
【００３７】
請求項６又は８記載の発明によれば、請求項１乃至５のうちの何れか１つに記載の印字装置において、上記印字手段がサーマルヘッドを有し、上記シート状記録媒体が感熱記録媒体である構成としたので、感熱記録媒体への印字において画像抜けや濃度ムラの無い良好な画像を得ることができる。
【００３８】
請求項７又は８記載の発明によれば、請求項１乃至５のうちの何れか１つに記載の印字装置において、上記印字手段がサーマルヘッドを有し、上記シート状記録媒体が可逆性感熱記録媒体である構成としたので、可逆性感熱記録媒体への印字において画像抜けや濃度ムラの無い良好な画像を得ることができる。
【図面の簡単な説明】
【図１】本発明の一実施形態における画像形成装置としてのリライタブルプリンタの概要正面図である。
【図２】給紙手段と印字消去手段の拡大詳細図である。
【図３】１つのモータによる駆動力の伝達構成を示す図である。
【図４】搬送経路における用紙検知構成を示す図である。
【図５】揺動支点の変位可能構成を示す斜視図である。
【図６】揺動支点の支持構成を示す要部正面図である。
【図７】揺動支点による追随機能を示す概要平面図で、（ａ）はプラテンローラの回転軸心がずれている場合のサーマルヘッドの当接前の状態を示す図、（ｂ）は当接後の状態を示す図である。
【図８】印字装置及び排紙領域におけるカバーを閉じた状態の概要断面図である。
【図９】印字装置及び排紙領域におけるカバーを開放した状態の概要断面図である。
【図１０】他の実施形態における印字装置及び排紙領域におけるカバーを閉じた状態の概要断面図である。
【図１１】図１０で示した実施形態におけるカバーの斜視図である。
【図１２】可逆性感熱記録媒体の消色・発色メカニズムを示す図である。
【図１３】従来の揺動解除方式におけるプラテンローラに対するサーマルヘッドの当接構成を示す図である。
【図１４】従来におけるプラテンローラの回転軸心がずれている場合のサーマルヘッドの当接前の状態を示す図である。
【符号の説明】
３  可逆性感熱記録媒体としてのリライタブルペーパー
６  印字装置
１２  印字手段
３７  搬送部材としてのプラテンローラ
３９  サーマルヘッド
５４  第１の付勢手段としてのバネ
６０  揺動支点としての回動軸
６１  付勢手段又は第２の付勢手段としてのバネ
【図１】
2004249551.tif 000003
【図２】
2004249551.tif 000004
【図３】
2004249551.tif 000005
【図４】
2004249551.tif 000006
【図５】
2004249551.tif 000007
【図６】
2004249551.tif 000008
【図７】
2004249551.tif 000009
【図８】
2004249551.tif 000010
【図９】
2004249551.tif 000011
【図１０】
2004249551.tif 000012
【図１１】
2004249551.tif 000013
【図１２】
2004249551.tif 000014
【図１３】
2004249551.tif 000015
【図１４】
2004249551.tif 000016